(57)【要約】【課題】データが第三者に漏洩するリスクを抑えつつ、対面でのデータの受け渡しを可能とする。【解決手段】第１端末（１０Ａ）に表示されていたデータと関連づけられたＩＤを第２端末（１０Ｂ）に取得させ、第１端末（１０Ａ）において所定の操作入力が検出されたときに、前記ＩＤを取得した第２端末（１０Ｂ）に前記第１端末（１０Ａ）に表示されていたデータを取得させる。【選択図】  図１
2020123190.tif 000002
【特許請求の範囲】
【請求項１】
第１端末に表示されていたデータと関連づけられたＩＤを第２端末に取得させる第１ステップと、
前記第１端末において所定の操作入力を検出する第２ステップと、
前記所定の操作入力が検出されたときに、前記ＩＤを取得した前記第２端末に前記第１端末に表示されていたデータを取得させる第３ステップと
を有するデータ転送方法。
【請求項２】
請求項１に記載されたデータ転送方法において、
前記第１ステップは、
無線により前記第１端末と前記第２端末との間で互いを接続するステップと、
互いに接続された状態で前記ＩＤを前記第１端末から前記第２端末に送信するステップと
を含むことを特徴とするデータ転送方法。
【請求項３】
請求項１に記載されたデータ転送方法において、
前記第１ステップは、
前記第１端末において前記ＩＤを含むコードを作成して前記第１端末の表示装置に表示させるステップと、
前記第１端末の表示装置に表示された前記コードを前記第２端末に読み取らせて前記ＩＤを前記第２端末に取得させるステップと
を含むことを特徴とするデータ転送方法。
【請求項４】
請求項１〜３のいずれか１つに記載されたデータ転送方法において、
前記第３ステップは、
前記データを、前記ＩＤと関連づけてネットワーク上のサーバに記憶させるステップと、
前記サーバに前記ＩＤと関連づけて記憶された前記データを、前記ＩＤを取得した前記第２端末に取得させるステップと
を含むことを特徴とするデータ転送方法。
【請求項５】
請求項１〜４のいずれか１つに記載されたデータ転送方法において、
前記第３ステップにおいて、前記データを前記第２端末に取得させたときに、
前記データを前記第２端末に取得させたことを示すログを前記第１端末に送付する第４ステップ
をさらに有することを特徴とするデータ転送方法。
【請求項６】
ネットワークに接続されたサーバと、それぞれ表示装置を備え、かつそれぞれ前記ネットワークを介して前記サーバに接続可能な第１端末および第２端末とを含み、
前記サーバは、
前記第１端末から前記第２端末に受け渡すデータとこのデータと関連づけられたＩＤとを関連付けて記憶する記憶部
を備え、
前記第１端末は、
データを記憶する記憶部と、
この第１端末の前記表示装置に前記データを表示するデータ表示部と、
前記データと関連づけられたＩＤを前記第２端末に提示するＩＤ提示部と、
前記第１端末における所定の操作入力を検出する検出部と、
前記所定の操作入力が検出されたときに、前記データと前記ＩＤとを関連付けて前記サーバに記憶させる登録部と
を備え、
前記第２端末は、
前記ＩＤを取得するＩＤ取得部と、
前記サーバから前記ＩＤと関連付けられたデータを取得するデータ取得部と、
この第２端末の前記表示装置に前記データを表示するデータ表示部と
を有する
ことを特徴とするデータ転送システム。
【請求項７】
請求項６に記載されたデータ転送システムにおいて、
前記第１端末と前記第２端末とは、それぞれ無線により互いを接続する無線通信部をさらに備え、
前記ＩＤ提示部は、前記第１端末の前記無線通信部を介して前記ＩＤを前記第２端末に送信し、
前記ＩＤ取得部は、前記第２端末の前記無線通信部を介して前記ＩＤを取得する
ことを特徴とするデータ転送システム。
【請求項８】
請求項６に記載されたデータ転送システムにおいて、
前記第１端末は、
前記第１端末において前記ＩＤを含むコードを作成して前記第１端末の表示装置に表示するコード表示部を備え、
前記第２端末は、
前記第１端末の表示装置に表示された前記コードを読み込むカメラを備え、
前記ＩＤ取得部は、前記カメラによって読み込まれた前記コードから前記ＩＤを取得する
ことを特徴とするデータ転送システム。
【請求項９】
請求項６〜８のいずれか１つに記載されたデータ転送システムにおいて、
前記サーバは、
前記データを前記第２端末に取得させたときに、前記データを前記第２端末に取得させたことを示すログを前記第１端末に送付するログ発行部
をさらに有することを特徴とするデータ転送システム。
【請求項１０】
表示装置と、
使用者による操作入力を受け付ける入力装置と、
データを記憶する記憶部と、
前記表示装置に前記データを表示させるデータ表示部と、
前記データと関連づけられたＩＤを他の端末に提示するＩＤ提示部と、
前記入力装置に対する所定の操作入力を検出する検出部と、
前記所定の操作入力が検出されたときに、前記データと前記ＩＤとを関連付けてネットワークを介してサーバに記憶させるデータ登録部と
を備える端末装置。
【請求項１１】
請求項１０に記載された端末装置において、
前記データと関連づけられたＩＤを生成するＩＤ生成部をさらに備えることを特徴とする端末装置。
【請求項１２】
表示装置と、使用者による操作入力を受け付ける入力装置と、データを記憶する記憶部と、処理装置と、ネットワークを介してサーバと接続するネットワーク回路とを備えたコンピュータにインストールされて、このコンピュータを、
前記表示装置に前記データを表示させるデータ表示部と、
前記データと関連づけられたＩＤを他の端末に提示するＩＤ提示部と、
前記入力装置に対する所定の操作入力を検出する検出部と、
前記所定の操作入力が検出されたときに、前記データと前記ＩＤとを関連付けてネットワークを介してサーバに記憶させるデータ登録部と
を有する端末装置として機能させる、コンピュータ読み取り可能なプログラム。
【発明の詳細な説明】
【技術分野】
【０００１】
本発明は、データ転送方法、データ転送システム、端末装置およびプログラムに関し、特に、文書の電子データを受け渡すデータ転送方法、データ転送システム、端末装置およびプログラムに関する。
【背景技術】
【０００２】
今日では、多くの場面でのペーパーレス化が進み、企業間における商取引はもちろんのこと、企業と個人との間でも、説明を行う者がタブレット型端末装置などに提案書その他の文書を表示して、顧客等に対面で説明を行う場面が増えてきている。この場合、文書は説明する側の端末に表示されることが多く、説明を受ける側に対して対しては、紙に印刷された文書を渡すことはあっても、その場で文書のデータを説明を受ける側に渡したり、説明を受ける側の端末に文書を表示させたりすることは稀である。これは、秘密漏洩の防止やプライバシー保護の観点から、文書その他のデータを受け渡す場合には、そのデータを第三者に漏洩させないことが求められるからである。
【０００３】
一般的には、例えば特許文献１に記載されたように、ユーザからのデータへのアクセスを管理するシステムを導入することによってデータを管理することが行われている。しかしながら、このような特許文献１に開示された技術では、顧客に渡したデータのように、システムの外にあるデータについては、そのシステムによるアクセス管理は利用できない。
【０００４】
また、特許文献２では、システムの外にあるデータが何らの制約無く利用できてしまうことを避けるために、データを受け取った者がしかるべき認証を受けない限り、そのデータがその者に提供されないようにしている。
【先行技術文献】
【特許文献】
【０００５】
【特許文献１】特開２００８−２３４２００号公報
【特許文献２】特開２０１８−０２５９１３号公報
【発明の概要】
【発明が解決しようとする課題】
【０００６】
しかしながら、特許文献２に開示された技術では、認証の仕組みが必要となるため、システムが複雑になる恐れがある。さらには、データを受け取ろうとする者が認証されなければデータを提供することができないため、特許文献２に開示された技術では、対面でデータを受け渡す場合にも、認証が必要となる。
【０００７】
そこで、本発明は、データが第三者に漏洩するリスクを抑えつつ、対面でのデータの受け渡しを可能とするデータ転送方法、データ転送システム、端末装置およびプログラムを提供することを目的とする。
【課題を解決するための手段】
【０００８】
上記の目的を達成するために、本発明に係るデータ転送方法は、第１端末に表示されていたデータと関連づけられたＩＤを第２端末に取得させる第１ステップと、前記第１端末において所定の操作入力を検出する第２ステップと、前記所定の操作入力が検出されたときに、前記ＩＤを取得した前記第２端末に前記第１端末に表示されていたデータを取得させる第３ステップとを有する。
【０００９】
上記のデータ転送方法において、前記第１ステップは、無線により前記第１端末と前記第２端末との間で互いを接続するステップと、互いに接続された状態で前記ＩＤを前記第１端末から前記第２端末に送信するステップとを含むようにしてもよい。
【００１０】
また、上記のデータ転送方法において、前記第１ステップは、前記第１端末において前記ＩＤを含むコードを作成して前記第１端末の表示装置に表示させるステップと、前記第１端末の表示装置に表示された前記コードを前記第２端末に読み取らせて前記ＩＤを前記第２端末に取得させるステップとを含むようにしてもよい。
【００１１】
また、上記のデータ転送方法において、前記第３ステップは、前記データを、前記ＩＤと関連づけてネットワーク上のサーバに記憶させるステップと、前記サーバに前記ＩＤと関連づけて記憶された前記データを、前記ＩＤを取得した前記第２端末に取得させるステップとを含むようにしてもよい。
【００１２】
上記のデータ転送方法において、前記第３ステップにおいて、前記データを前記第２端末に取得させたときに、前記データを前記第２端末に取得させたことを示すログを前記第１端末に送付する第４ステップをさらに有するようにしてもよい。
【００１３】
本発明に係るデータ転送システムは、ネットワークに接続されたサーバと、それぞれ表示装置を備え、かつそれぞれ前記ネットワークを介して前記サーバに接続可能な第１端末および第２端末とを含み、前記サーバは、前記第１端末から前記第２端末に受け渡すデータとこのデータと関連づけられたＩＤとを関連付けて記憶する記憶部を備え、前記第１端末は、データを記憶する記憶部と、この第１端末の前記表示装置に前記データを表示するデータ表示部と、  前記データと関連づけられたＩＤを前記第２端末に提示するＩＤ提示部と、前記第１端末における所定の操作入力を検出する検出部と、前記所定の操作入力が検出されたときに、前記データと前記ＩＤとを関連付けて前記サーバに記憶させる登録部とを備え、前記第２端末は、前記ＩＤを取得するＩＤ取得部と、前記サーバから前記ＩＤと関連付けられたデータを取得するデータ取得部と、この第２端末の前記表示装置に前記データを表示するデータ表示部とを有することを特徴とする。
【００１４】
ここで、上記のデータ転送システムにおいて、前記第１端末と前記第２端末とは、それぞれ無線により互いを接続する無線通信部をさらに備え、前記ＩＤ提示部は、前記第１端末の前記無線通信部を介して前記ＩＤを前記第２端末に送信し、前記ＩＤ取得部は、前記第２端末の前記無線通信部を介して前記ＩＤを取得するようにしてもよい。
【００１５】
また、上記のデータ転送システムにおいて、前記第１端末は、前記第１端末において前記ＩＤを含むコードを作成して前記第１端末の表示装置に表示するコード表示部を備え、前記第２端末は、前記第１端末の表示装置に表示された前記コードを読み込むカメラを備え、前記ＩＤ取得部は、前記カメラによって読み込まれた前記コードから前記ＩＤを取得するようにしてもよい。
【００１６】
また、上記のデータ転送システムにおいて、前記サーバは、前記データを前記第２端末に取得させたときに、前記データを前記第２端末に取得させたことを示すログを前記第１端末に送付するログ発行部をさらに有していてもよい。
【００１７】
また、本発明に係る端末装置は、表示装置と、使用者による操作入力を受け付ける入力装置と、データを記憶する記憶部と、前記表示装置に前記データを表示させるデータ表示部と、前記データと関連づけられたＩＤを他の端末に提示するＩＤ提示部と、前記入力装置に対する所定の操作入力を検出する検出部と、前記所定の操作入力が検出されたときに、前記データと前記ＩＤとを関連付けてネットワークを介してサーバに記憶させる登録部とを備える。
【００１８】
ここで、上記の端末装置において、前記データと関連づけられたＩＤを生成するＩＤ生成部をさらに備えていてもよい。
【００１９】
また、本発明に係るコンピュータ読み取り可能なプログラムは、表示装置と、使用者による操作入力を受け付ける入力装置と、データを記憶する記憶部と、処理装置と、ネットワークを介してサーバと接続するネットワーク回路とを備えたコンピュータにインストールされて、このコンピュータを、前記表示装置に前記データを表示させるデータ表示部と、前記データと関連づけられたＩＤを他の端末に提示するＩＤ提示部と、前記入力装置に対する所定の操作入力を検出する検出部と、前記所定の操作入力が検出されたときに、前記データと前記ＩＤとを関連付けてネットワークを介してサーバに記憶させる登録部とを有する端末装置として機能させる、コンピュータ読み取り可能なプログラムである。
【発明の効果】
【００２０】
本発明によれば、データが第三者に漏洩するリスクを抑えつつ、対面でのデータの受け渡しを可能とするデータ転送方法、データ転送システム、端末装置およびプログラムを提供することができる。
【図面の簡単な説明】
【００２１】
【図１】図１は、本発明の実施の形態に係るデータ転送システムの構成を示す図である。
【図２】図２は、本実施の形態に係るデータ転送システムにおける端末装置のハードウェア構成を示す図である。
【図３】図３は、本実施の形態に係るデータ転送システムにおける送信者端末装置の機能ブロック図である。
【図４】図４は、本実施の形態に係るデータ転送システムにおける受信者端末装置の機能ブロック図である。
【図５】図５は、本実施の形態に係るデータ転送システムにおけるサーバのハードウェア構成を示す図である。
【図６】図６は、サーバの記憶装置のデータ構造の一例を概念的に示す図である。
【図７】図７は、本実施の形態に係るデータ転送方法を説明するフローチャートである。
【図８】図８は、本実施の形態に係るデータ転送方法においてＩＤを提示する方法の一例を説明するシーケンス図である。
【図９】図９は、本実施の形態に係るデータ転送方法においてＩＤを提示する方法の他の例を説明するシーケンス図である。
【図１０】図１０は、本実施の形態に係るデータ転送方法における所定の操作入力を説明するための図である。
【図１１】図１１は、本実施の形態に係るデータ転送方法において、データの授受の方法の一例を説明するシーケンス図である。
【図１２】図１２は、本実施の形態に係るデータ転送方法において、データの授受の方法の他の例を説明するシーケンス図である。
【発明を実施するための形態】
【００２２】
以下、本発明の実施の形態について、図面を参照して説明する。
なお、本実施の形態においては、２台の端末装置の間で文書のデータ（以下、単に「文書」ということがある。）を受け渡す場合を例に説明する。本明細書においては、文書を渡す側の端末装置を「送信者端末装置」と呼び、文書を受けとる側の端末装置を「受信者端末装置」と呼ぶ。また、送信者端末装置と受信者端末装置とを総称して単に「端末装置」ということがある。
【００２３】
［１．データ転送システムの概要］
本実施の形態に係るデータ転送システム１は、図１に示すように、少なくとも２台の端末装置、すなわち、文書の送信元となる送信者端末装置１０Ａおよび文書の受信者となる受信者端末装置１０Ｂ、ならびにサーバ５０を備えている。本実施の形態において、送信者端末装置１０Ａおよび受信者端末装置１０Ｂは、それぞれ本発明における第１端末および第２端末に相当する。送信者端末装置１０Ａおよび受信者端末装置１０Ｂは、それぞれ、アクセスポイント２０を介してネットワーク３０に無線接続可能に構成されたコンピュータである。送信者端末装置１０Ａおよび受信者端末装置１０Ｂは、例えば、可搬性を有するタブレット型のコンピュータやスマートフォンなどが考えられる。一方、サーバ５０は、ゲートウェイ（ＧＷ）４０を介してインターネット等のネットワーク３０に接続されている。
【００２４】
本実施の形態に係るデータ転送システム１では、例えば、送信者端末装置１０Ａの表示装置に提案書等の文書を表示させ、所定の操作を行うことで、その文書を受信者端末装置１０Ｂの表示装置に表示させることができる。
【００２５】
［１．１．端末装置の構成］
送信者端末装置１０Ａおよび受信者端末装置１０Ｂは、いずれも図２に示すように、処理装置１１、記憶装置１２、入力装置１３、表示装置１４、第１無線インターフェース回路（Ｉ／Ｆ）１５、第２無線Ｉ/Ｆ１６、カメラ１７、およびこれらの装置間をつなぐバス１８を備えたコンピュータである。
【００２６】
ここで、処理装置１１は、端末装置１０Ａ（１０Ｂ）にインストールされたコンピュータプログラムの指令に基づいて演算処理を行うとともに、バス１８を介して他の装置を制御する演算処理回路である。処理装置１１が行う処理は、第１無線Ｉ／Ｆ１５によってアクセスポイント２０と接続する通信制御処理や、第１無線Ｉ／Ｆを介してサーバ５０と文書のデータを送受信する処理、表示装置１４に文書等を表示する処理を含み、さらに送信者端末装置１０Ａにあっては、後述する識別子（ＩＤ）を生成してこれを提示する処理や、使用者による所定の操作入力を検知する処理、受信者端末装置１０Ｂにあっては、カメラ１７で撮影された画像を認識する処理などを含む。
【００２７】
記憶装置１２は、上述したコンピュータプログラムや、各種データを記憶する装置である。例えば、フラッシュメモリやハードディスクなどの記憶媒体は、記憶装置１２を構成することができる。送信者端末装置１０Ａおよび受信者端末装置１０Ｂのそれぞれにおいて、表示装置１４に表示する文書のデータを記憶装置１２に記憶するように構成することができる。
【００２８】
入力装置１３は、端末装置１０Ａ（１０Ｂ）の使用者によって操作されて、その端末装置１０Ａ（１０Ｂ）に情報を入力するように構成された装置である。例えば、キーボードやマウス、タッチパネル等は入力装置１３を構成することができる。本実施の形態においては、入力装置１３としてタッチパネルを備えるものを例に説明する。
表示装置１４は、各種データを表示するように構成された装置である。例えば、液晶表示装置（ＬＣＤ）や有機エレクトロルミネッセンス（ＥＬ）ディスプレイなどは表示装置１４を構成することができる。
【００２９】
第１無線Ｉ／Ｆ１５は、アクセスポイント２０と接続して、ＷｉＦｉ（登録商標）その他の無線ＬＡＮの規格に則ってソケット通信やＨＴＴＰ通信を行う無線通信回路を含む。この第１無線Ｉ／Ｆ１は、本発明におけるネットワーク回路に相当する。
第２無線Ｉ／Ｆ１６は、ＢＬＵＥＴＯＯＴＨ（登録商標）その他の近距離無線通信規格に則って、例えば、送信者端末装置１０Ａと受信者端末装置１０Ｂとを互いに無線接続する無線通信回路を含む。この第２無線Ｉ／Ｆは、本発明における無線通信部に相当する。
【００３０】
カメラ１７は、任意の対象を撮像する撮像デバイスである。少なくとも受信者端末装置１０Ｂには、画像認識用のコンピュータプログラムがインストールされ、上述したように、カメラ１７で撮影された画像、例えば、ＱＲコード（登録商標）等を認識できるように構成されている。
【００３１】
なお、本実施の形態において、送信者端末装置１０Ａおよび受信者端末装置１０Ｂは、ともに第２無線Ｉ／Ｆ１６とカメラ１７とを備えるものとして説明するが、必ずしも第２無線Ｉ／Ｆ１６とカメラ１７の双方を備えていなくてもよく、第２無線Ｉ／Ｆ１６とカメラ１７とのいずれか１つのみを備えていてもよい。
【００３２】
［１．２．送信者端末装置１０Ａの機能］
次に、送信者端末装置１０Ａの機能について、図３を参照して説明する。
送信者端末装置１０Ａは、上述した処理装置１１その他のハードウェア資源と送信者端末装置１０Ａにインストールされたコンピュータプログラムとが協働することによって、記憶装置１２に記憶された文書等を表示装置１４に表示するように構成されたデータ表示部１１１と、送信者端末装置１０Ａにおいて表示装置１４に表示する文書と関連づけられたユニークなＩＤを生成するように構成されたＩＤ生成部１１２と、このＩＤを表示装置１４または第２無線Ｉ／Ｆを介して受信者端末装置１０Ｂに提示するように構成されたＩＤ提示部１１３と、入力装置１３における所定の操作入力を検出するように構成された検出部１１４と、所定の操作入力が検出されたときに、第１無線Ｉ／Ｆを介してサーバ５０に文書とＩＤとを関連付けて記憶させる登録部１１５とを備える。
【００３３】
このうち、ＩＤ生成部１１２は、文書と関連づけられたユニークなＩＤとして、例えば、「ｘｘｘｘ−ｘｘｘｘ−ｘｘｘｘ−ｘｘｘｘ」形式の、０〜９およびＡ〜Ｚの組み合わせからなるランダムな文字列を生成するように構成することができる。このとき、ＩＤに有効期限を設け、その生成から一定の期間、例えば２４時間有効とすることで、異なる文書に対して同一のＩＤが付与された状態を回避することができ、ユニークな（唯一の）ＩＤを合理的かつ実用的に実現することができる。
【００３４】
また、ＩＤ提示部１１３は、ＩＤ生成部１１２によって生成されたＩＤを、第２無線Ｉ／Ｆ１６を介して近距離無線通信により受信者端末装置１０Ｂに送信してもよいが、このＩＤを含むＱＲコード等の画像を生成して表示装置１４に表示するようにしてもよい。この場合、ＩＤ提示部１１３が本発明におけるコード表示部に相当する。
【００３５】
［１．３．受信者端末装置１０Ｂの機能］
受信者端末装置１０Ｂの機能について、図４を参照して説明する。
受信者端末装置１０Ｂは、上述した処理装置１１その他のハードウェア資源と受信者端末装置１０Ｂにインストールされたコンピュータプログラムとが協働することによって、記憶装置１２に記憶された文書等を表示装置１４に表示するように構成されたデータ表示部１１１と、送信者端末装置１０Ａによって提示されたＩＤを取得するように構成されたＩＤ取得部１１６と、第１無線Ｉ／Ｆ１５を介してサーバ５０から文書のデータを取得するデータ取得部１１７とを備える。
【００３６】
このうち、ＩＤ取得部１１６は、第２無線Ｉ／Ｆ１６を介して近距離無線通信により送信者端末装置１０ＡからＩＤを受信して、これを記憶装置１２に記憶させるように構成してもよいし、送信者端末装置１０Ａの表示装置１４に表示された、ＩＤを含むＱＲコード等をカメラ１７によって撮像し、この画像からＩＤを読み取って記憶部１２に記憶させるように構成してもよい。
【００３７】
また、データ取得部１１７は、記憶装置１２に記憶されたＩＤを読み出すとともに、第１無線Ｉ／Ｆ１５を介してサーバ５０にアクセスして、サーバ５０においてこのＩＤと関連付けられた文書のデータをダウンロードしてこれを記憶部１２に記憶させるように構成されている。
【００３８】
［１．４．サーバの構成］
次に、サーバ５０の構成について図５および図６を参照して説明する。
サーバ５０は、図５に示すように、処理装置５１と、記憶装置５２と、オペレータ等が使用するキーボードやディスプレイ等のＩ／Ｏ装置５３と、ゲートウェイ４０と接続されるネットワークＩ／Ｆ（ＮＷＩ／Ｆ）５５と、これらの装置間をつなぐバス５８を備えたコンピュータである。
【００３９】
処理装置５１は、サーバ５０にインストールされたコンピュータプログラムの指令に基づいて演算処理を行い、バス５８を介して他の装置を制御する演算処理回路である。処理装置５１が行う処理は、文書とＩＤとを関連付けて記憶装置５２に記憶する処理や、イ億装置５２に記憶された文書を検索する処理、ネットワーク３０を介して送信者端末装置１０Ａおよび受信者端末装置１０Ｂと文書をやり取りする処理を含む。また、本実施の形態においては、処理装置５１は、送信者端末装置１０Ａや受信者端末装置１０Ｂと文書をやり取りした記録（ログ）を残す処理を行い、そのログを送信者端末装置１０Ａまたは受信者端末装置１０Ｂに対して発行するログ発行部５１１を備えている。
【００４０】
記憶装置５２は、上述したコンピュータプログラムや、各種データを記憶する装置である。例えば、フラッシュメモリやハードディスクなどの記憶媒体は、記憶装置５２を構成することができる。サーバ５０は、記憶装置５２の一部として、外部のハードディスク等の記憶装置を備えるようにしてもよい。
本実施の形態において、サーバ５０は、記憶装置５２に文書とＩＤとを関連付けて記憶するように構成される。記憶装置５２には、例えば、図６に示すような、ＩＤと文書とを対応づけるデータ構造が構築される。
【００４１】
［２．文書の受け渡し処理の手順］
次に、図７〜図１１を参照して、本実施の形態に係るデータ転送システムにおけるデータ転送の処理の手順について説明する。
図７に示すように、本実施の形態に係るデータ転送システムにおける文書の転送処理の手順は、「文書の表示、ならびにＩＤの生成および提示」（フェーズ１）と、「所定の操作入力の検出」（フェーズ２）と、「文書の授受および表示」（フェーズ３）とに分けることができる。これらのフェーズ１、フェーズ２およびフェーズ３は、それぞれ本発明に係るデータ転送方法の第１ステップ、第２ステップおよび第３ステップに相当する。
【００４２】
［２．１．フェーズ１：文書の表示、ならびにＩＤの生成および提示］
フェーズ１における処理は、送信者端末装置１０Ａにおいて文書を送信者端末装置１０Ａの表示装置１４に表示させる処置と、この文書に関連づけられたユニークなＩＤを生成して、このＩＤを送信者端末装置Ａから受信者端末装置１０Ｂに提示する処理とを含む。
なお、フェーズ１において、送信者端末装置１０Ａにおいて文書を表示する処理と、ＩＤを生成して提示する処理とは、互いに独立した処理であり、文書とＩＤとが関連づけられる限り、どちらを先に実行してもよい。したがって、送信者端末装置１０Ａの表示装置１４に文書を表示させた後に送信者端末装置１０Ａから受信者端末装置１０ＢにＩＤを提示するようにしてもよいし、逆に、送信者端末装置１０Ａから受信者端末装置１０ＢにＩＤを提示してから送信者端末装置１０Ａの表示装置１４に文書を表示させてもよい。
【００４３】
［２．１．１．文書の表示］
送信者端末装置１０Ａに文書を表示させるにあたっては、文書のデータをあらかじめ送信者端末装置１０Ａの記憶装置１２に記憶させておいても良いが、サーバ５０の記憶装置５２に記憶された文書のデータを、ネットワーク３０を介して送信者端末装置１０Ａの表示装置１４に表示するようにしてもよい。
文書の表示として、例えば、企画書等の文書のＰＤＦファイルを、提案者が使用するタブレット型端末装置の画面に表示する行為が考えられる。この例では、提案者が使用するタブレット端末装置が送信者端末装置１０Ａとなる。
【００４４】
［２．１．２．ＩＤの生成および提示］
上述したように、文書に関連付けられたユニークなＩＤは、送信者端末装置１０Ａに設けられたＩＤ生成部１１２（図３参照。）において生成されて、送信者端末装置１０Ａの記憶装置１２に記憶されるとともに、受信者端末装置１０Ｂに提示される。このＩＤを受信者端末装置１０Ｂに提示する方法としては、ＢＬＵＥＴＯＯＴＨ（登録商標）などの近距離無線通信によって受信者端末装置１０Ｂに送信する方法や、ＩＤのＱＲコードを作成して送信者端末装置１０Ａの表示装置１４に表示させる方法など、様々な方法が考えられる。
【００４５】
［（１）近距離無線通信規格ＢＬＵＥＴＯＯＴＨ（登録商標）を用いる場合］
例えば、送信者端末装置１０Ａにおいて生成したＩＤを、近距離無線通信規格ＢＬＵＥＴＯＯＴＨ（登録商標）に基づいて受信者端末装置１０Ｂに送信するには、図８に示すように、まず、送信者端末装置１０Ａと受信者端末装置１０Ｂとがそれぞれスキャンとアドバタイジングを行って、互いの接続を確立する。具体的には、アドバタイザとなる受信者端末装置１０Ｂが、複数の周波数チャネルのうちの一つを使って、自己の属性を示す情報を含むアドバタイジングパケットを送出する一方、スキャナとなる送信者端末装置１０Ａは、受信状態となって受信者端末装置１０Ｂからのアドバタイジングパケットを受信したら、受信者端末装置１０Ｂに対してコネクトリクエストを送信する。
【００４６】
受信者端末装置１０Ｂは、スキャナである送信者端末装置１０Ａからのコネクトリクエストを受信するまで、周波数チャネルを変更しながらアドバタイジングを継続し、受信者端末装置１０Ｂがコネクトリクエストを受信することで、送信者端末装置１０Ａと受信者端末装置１０Ｂとの間の通信が開始され、送信者端末装置１０Ａから受信者端末装置１０Ｂに対してＩＤが送信されて、受信者端末装置１０Ｂの記憶装置１２に記憶される。
以上のようにしてＩＤの授受が行われる。
【００４７】
なお、図８においては、送信者端末装置１０Ａと受信者端末装置１０Ｂとをそれぞれスキャナとアドバタイザとなる例について説明したが、近距離無線通信規格ＢＬＵＥＴＯＯＴＨ（登録商標）に基づいてＩＤを送信する際には、送信者端末装置１０Ａと受信者端末装置１０Ｂとがそれぞれアドバタイザとスキャナとなってもよいことはいうまでもない。
また、図８に示す例においては、ＩＤの授受が行われた後に送信者端末装置１０Ａにおいて文書が表示されることが示されているが、端末装置同士の接続およびＩＤの授受に先だって送信者端末装置１０Ａにおいて文書を表示するようにしてもよい。
【００４８】
［（２）ＱＲコードを用いる場合］
ＱＲコードを用いてＩＤの授受を行う場合について、図９を参照して説明する。
送信者端末装置１０Ａにおいて、ＩＤ生成部１１２によって生成されたＩＤは、送信者端末装置１０Ａの記憶装置１２に記憶されるとともに、このＩＤのＱＲコードが生成されて送信者端末装置１０Ａの表示装置１４に表示される。
この送信者端末装置１０Ａの表示装置１４に表示されたＱＲコードを受信者端末装置１０Ｂのカメラ１７で撮影して読み込み、読み込んだＱＲコードからＩＤを取得して記憶装置１２に記憶する。
【００４９】
図９に示す例においても、ＱＲコードを介したＩＤの授受の後に、送信者端末装置１０Ａにおいて文書が表示されることが示されているが、ＱＲコードの生成および表示に先立って送信者端末装置１０Ａの表示装置１４に文書を表示するようにしてもよい。
【００５０】
［２．２．フェーズ２：所定の操作入力の検出］
送信者端末装置１０Ａにおける所定の操作入力は、システムにとっては、次のフェーズ３（文書の授受および表示）に移行するためのトリガーとなる操作である。
送信者端末装置１０Ａにおける操作入力は、その操作入力を検出でき、かつ他の操作入力と区別できるのであれば、どのような操作でもよいが、その所定の操作入力が、送信者端末装置１０Ａの使用者にとっては、あたかも送信者端末装置１０Ａの表示装置１４に表示されている文書を、その近くにある受信者端末装置１０Ｂに移すかのような操作となればなお好ましい。
【００５１】
例えば、送信者端末装置１０Ａの入力装置１３が表示装置１４と一体に構成されたタッチパネルである場合には、表示装置１４に表示された文書をなぞるように、タッチパネルを所定の方向（例えば、図１０において矢印で示すように、送信者端末装置１０Ａの表示装置１４に表示された文書の下から上へ）に沿ってスワイプする操作を所定の操作入力とすることができる。
【００５２】
［２．３．フェーズ３：文書の授受および表示］
送信者端末装置１０Ａにおいて所定の操作入力が検出されると、次のようにして、送信者端末装置１０Ａの表示装置１４に表示されていた文書を受信者端末装置１０Ｂの表示装置１４に表示させる。
【００５３】
すなわち、送信者端末装置１０Ａは、所定の操作入力を検出すると、表示装置１４に表示していた文書のデータを対応するＩＤと関連づけてサーバ５０に記憶させる一方、受信者端末装置１０Ｂは、サーバ５０から、フェーズ１において取得したＩＤと関連づけられた文書のデータを取得して、これを表示装置１４に表示させる。
このように、送信者端末装置１０Ａにおいて表示されていた文書を受信者端末装置１０Ｂにおいて表示するためには、その文書と関連付けられたＩＤを受信者端末装置１０Ｂが取得していることが条件となるので、文書と関連付けられたＩＤを取得していない他の端末装置では文書を取得することができない。
なお、サーバ５０は、文書のデータを受信者端末装置１０Ｂに取得させたときには、そのことを示すログを生成して送信者端末装置１０Ａに送付するようにしてもよい。
【００５４】
より具体的には、フェーズ３において文書の授受を実現するには、一例として、図１１に示すように、ソケット通信を利用することが考えられる。
【００５５】
すなわち、所定の操作入力を検出すると、送信者端末装置１０Ａと受信者端末装置１０Ｂとは、それぞれの第１無線Ｉ／Ｆ１５およびネットワーク３０を介してサーバ５０と接続する。このときのアクセス先となるサーバ５０のＵＲＬは、データ転送システムを実現するために端末装置１０Ａ、１０Ｂにインストールされるアプリ（コンピュータプログラム）のスクリプトの一部として端末装置に配布することができる。
【００５６】
送信者端末装置１０Ａおよび受信者端末装置１０Ｂとサーバ５０とがソケット通信によりネットワーク３０を介して接続された状態で、送信者端末装置１０Ａから表示中の文書のＰＤＦファイルをＩＤと関連づけてサーバ５０に送付して、サーバ５０の記憶装置５２に記憶させる。受信者端末装置１０Ｂは、ネットワーク３０を介してサーバ５０から、フェーズ１において取得したＩＤと関連づけられた文書のＰＤＦファイルを取得して、これを表示装置１４に表示させるのである。
【００５７】
また、文書の授受を実現する方法の他の例として、ＨＴＭＬ通信を利用することが考えられる。より具体的には、図１２に示すように、送信者端末装置１０Ａは、所定の操作入力を検出すると、表示している文書のデータをＩＤと関連づけてサーバ５０に登録する。一方、受信者端末装置１０Ｂは周期的にサーバ５０にアクセスし、フェーズ１において取得したＩＤと関連づけられた文書のデータがサーバ５０に登録されていないかを確認しているので、送信者端末装置１０Ａによってサーバ５０に文書のデータとそのＩＤとが登録されれば、その文書のデータが受信者端末装置１０Ｂによって取得され、受信者端末装置１０Ｂの表示装置１４に表示される。また、サーバ５０は、受信者端末装置１０Ｂによって文書のデータが取得されると、取得ログを送信者端末装置１０Ａに送付する。
【００５８】
［３．まとめ］
以上のように、転送すべき文書と関連付けられたユニークなＩＤを受信者端末装置１０Ｂに取得させるとともに、その文書のデータとそのＩＤとを関連付けてサーバ５０に記憶させ、そのＩＤを取得した端末装置のみがサーバ５０からそのＩＤと関連付けられた文書のデータを取得できるようにしたことによって、データが第三者に漏洩するリスクを抑えつつ、対面でのデータの受け渡しを可能とすることができる。
【００５９】
なお、上述した実施の形態においては、２台の端末装置の間で文書を受け渡す場合を例に説明したが、文書を取得する受信者端末装置は必ずしも１台に限定されない。すなわち、１つの送信者端末装置と複数の受信者装置との間でＩＤの授受を行うことにより、複数の端末装置において文書を受けとるようにしてもよい。
【００６０】
また、図３に示したように、送信者端末装置１０ＡがＩＤ生成部１１２を備え、送信者端末装置においてＩＤを生成するものとして説明したが、ＩＤ生成部１１２を、送信者端末装置１０Ａではなく、サーバ５０に設けることによって、文書のデータと関連付けられたＩＤをサーバ５０において生成し、これをネットワーク３０を介して送信者端末装置１０Ａに提供するように構成してもよい。
【００６１】
また、受け渡すデータとして文書のデータを例に説明したが、本発明において受け渡されるデータは必ずしも文書に限定されない。例えば、音声や静止画、動画など、文書以外のデータを受け渡すことも可能である。
【符号の説明】
【００６２】
１…データ転送システム、１０Ａ…送信者端末装置、１０Ｂ…受信者端末装置、１１…処理装置、１２…記憶装置、１３…入力装置、１４…表示装置、１５…第１無線Ｉ／Ｆ、１６…第２無線Ｉ／Ｆ、１７…カメラ、１８…バス、３０…ネットワーク、５０…サーバ、５１…処理装置、５２…記憶装置、５３…Ｉ／Ｏ装置、５５…ネットワークＩ／Ｆ。
【図１】
2020123190.tif 000003
【図２】
2020123190.tif 000004
【図３】
2020123190.tif 000005
【図４】
2020123190.tif 000006
【図５】
2020123190.tif 000007
【図６】
2020123190.tif 000008
【図７】
2020123190.tif 000009
【図８】
2020123190.tif 000010
【図９】
2020123190.tif 000011
【図１０】
2020123190.tif 000012
【図１１】
2020123190.tif 000013
【図１２】
2020123190.tif 000014